(57)【要約】【課題】コンクリートスラブの設定厚さが異なる場合にも共用でき、なお且つ溶接金網の上位筋又は下位筋いずれの支承にも利用でき、さらに、溶接金網上を作業者が歩いても確実に溶接金網の上位筋又は下位筋を支承できるデッキプレート用スペーサーを提供することを目的としている。【解決手段】デッキプレート用スペーサー本体１０を有するデッキプレート用スペーサー１であって、前記デッキプレート用スペーサー本体１０は、前記溶接金網の異なる支承高さに対応した複数の金網支承部１４Ａ〜１４Ｄを有し、前記金網支承部１４Ａ〜１４Ｄには、前記溶接金網の上位筋又は下位筋を嵌合可能なように上方が開放された嵌合部１４ａ１〜１４ｄ１が設けられると共に、その嵌合部１４ａ１〜１４ｄ１の上方を自在に閉鎖可能な蓋部１４ａ２〜１４ｄ２が設けられてなることを特徴としている。【選択図】  図１
2012097417.tif 000002
【特許請求の範囲】
【請求項１】
凸条部と凹陥部とが交互に配置したデッキプレート上にコンクリートスラブを打設する際に、縦横一方向に平行配置する上位筋と他方向に平行配置する下位筋とが各交点で溶接された溶接金網を前記コンクリートスラブ中に埋入させるために、前記デッキプレート上に設置して前記溶接金網をデッキプレートから浮かせて支承するデッキプレート用スペーサー本体を有するデッキプレート用スペーサーであって、
前記デッキプレート用スペーサー本体は、前記溶接金網の異なる支承高さに対応した複数の金網支承部を有し、
前記金網支承部には、前記溶接金網の上位筋又は下位筋を嵌合可能なように上方が開放された嵌合部が設けられると共に、その嵌合部の上方を自在に閉鎖可能な蓋部が設けられてなることを特徴とするデッキプレート用スペーサー。
【請求項２】
前記各金網支承部に夫々設けられている蓋部の少なくとも一つは、略半円球状に形成されてなることを特徴とする請求項１に記載のデッキプレート用スペーサー。
【請求項３】
前記デッキプレート用スペーサー本体は、中央垂直板部と、その両側端より曲折して互いに反対側へ張出した両垂直側板部とからなる平面視略Ｚ字形をなし、これら中央垂直板部及び両垂直側板部の各々に、少なくとも一つの金網支承部が設けられてなることを特徴とする請求項１又は２に記載のデッキプレート用スペーサー。
【請求項４】
前記両垂直側板部の下部には、夫々当該両垂直側板部とは反対側へ張出した倒れ止め突片が設けられてなることを特徴とする請求項３に記載のデッキプレート用スペーサー。
【発明の詳細な説明】
【技術分野】
【０００１】
本発明は、ビル等のコンクリート床の構築において、デッキプレート上にコンクリートスラブを打設する際、そのコンクリートスラブ中に埋入させる溶接金網をデッキプレートから浮かせた状態で支承するデッキプレート用スペーサーに関する。
【背景技術】
【０００２】
近年、ビル等のコンクリート床を構築する場合、凸条部と凹陥部とが交互に配置したデッキプレートを鉄骨梁間にかけ渡し、このデッキプレート上にコンクリートスラブを所要厚さで打設する方法が多用されている。そして、このコンクリートスラブ中には、補強材（鉄筋）として一般的に、縦横一方向に平行配置する上位筋と他方向に平行配置する下位筋とが各交点で溶接された格子状の溶接金網が埋入されている。
【０００３】
ところで、この溶接金網は、その埋入位置がコンクリートスラブの表面から一定深さになるように規定されている。そのため、コンクリートスラブを打設する前に、当該コンクリートスラブの厚みに応じてデッキプレートから所要高さに浮かせた状態に保持しておく必要がある。そこで、その保持状態を実現させるために、デッキプレート上に硬質合成樹脂成形物、針金材、コンクリート製の小ブロック等よりなる様々な形態のスペーサーを所要間隔置きに配置し、上記スペーサーを介して溶接金網をデッキプレート上で支承する方法が用いられている。
【０００４】
しかしながら、上記スペーサーは、溶接金網をデッキプレート上から一定の高さに支承するだけであるため、次のような問題があった。すなわち、コンクリートスラブの設定厚さは、建物の規模、床面積、要求される耐荷重強度等によって種々異なり、それがために、その違いに対応するために支承高さが異なる多種類のスペーサーを製作して在庫として保有する必要があり、多品種少量生産となって製作コストが高く付くと共に保管コストも嵩むという問題があった。
【０００５】
一方、上記スペーサーは、上記溶接金網の上位筋又は下位筋を乗せて支承するものであるが、コンクリートスラブの打設の際には、作業者が上記溶接金網上に乗って作業を行い、さらには、上記溶接金網は、一般に一定の縦横寸法を有する矩形単位として供給されたものをデッキプレート上に敷き詰めて継ぎ目を針金等で結束するものであるが、この結束作業もその溶接金網上に作業者が乗って作業を行う。それゆえ、作業者が打設作業や結束作業等で溶接金網上を歩くと、上記スペーサーが倒れたり溶接金網から外れたりしやすく、その修復のために非常に手間を要する上、気付かずにコンクリートスラブが打設された場合、溶接金網の部分的な沈下や位置ずれによる施工品位の低下をきたすという問題もあった。
【０００６】
そこで、このような問題を解決する発明として、特許文献１に記載のようなデッキプレート用スペーサーが提案されている。このデッキプレート用スペーサーは、溶接金網の異なる支承高さに対応した複数の金網支承部を具備し、各金網支承部が溶接金網の上位筋と下位筋を各々嵌合可能な一対の上方に開いた嵌合部より構成されてなるものである。
【先行技術文献】
【特許文献】
【０００７】
【特許文献１】特開平１０−３３１３３１号公報
【発明の概要】
【発明が解決しようとする課題】
【０００８】
このデッキプレート用スペーサーは、コンクリートスラブの設定厚さが異なる場合にも共用でき、さらに、溶接金網の上位筋又は下位筋いずれの支承にも利用できるため、単品種の量産による製作コストの低減が可能であると共に、溶接金網を簡単な操作によって安定した支承状態とでき大変有用なものであった。
【０００９】
しかしながら、上記デッキプレート用スペーサーは、金網支承部の嵌合部が上方に開いているため、打設作業や結束作業等で溶接金網上を作業者が歩いた際、上記嵌合部で支承している上位筋又は下位筋がその嵌合部から外れてしまうことがあり、その修復のために非常に手間を要する上、気付かずにコンクリートスラブが打設された場合、溶接金網の部分的な沈下や位置ずれによる施工品位の低下をきたすということがあった。
【００１０】
そこで本発明は、上記事情に鑑み、コンクリートスラブの設定厚さが異なる場合にも共用でき、なお且つ溶接金網の上位筋又は下位筋いずれの支承にも利用でき、さらに、溶接金網上を作業者が歩いても確実に溶接金網の上位筋又は下位筋を支承できるデッキプレート用スペーサーを提供することを目的としている。
【課題を解決するための手段】
【００１１】
上記目的を達成するために、後述する一実施形態の参照符号を付して説明すると、本発明の請求項１に係るデッキプレート用スペーサーは、凸条部３ａと凹陥部３ｂとが交互に配置したデッキプレート３上にコンクリートスラブ４を打設する際に、縦横一方向に平行配置する上位筋２ａと他方向に平行配置する下位筋２ｂとが各交点で溶接された溶接金網２を前記コンクリートスラブ４中に埋入させるために、前記デッキプレート３上に設置して前記溶接金網２をデッキプレート３から浮かせて支承するデッキプレート用スペーサー本体１０を有するデッキプレート用スペーサー１であって、前記デッキプレート用スペーサー本体１０は、前記溶接金網２の異なる支承高さに対応した複数の金網支承部１４Ａ〜１４Ｄを有し、前記金網支承部１４Ａ〜１４Ｄには、前記溶接金網２の上位筋２ａ又は下位筋２ｂを嵌合可能なように上方が開放された嵌合部１４ａ１〜１４ｄ１が設けられると共に、その嵌合部１４ａ１〜１４ｄ１の上方を自在に閉鎖可能な蓋部１４ａ２〜１４ｄ２が設けられてなることを特徴としている。
【００１２】
また、請求項２の発明は、上記請求項１に記載のデッキプレート用スペーサーにおいて、前記各金網支承部１４Ａ〜１４Ｄに夫々設けられている蓋部１４ａ２〜１４ｄ２の少なくとも一つは、略半円球状に形成されてなることを特徴としている。
【００１３】
さらに、請求項３の発明は、上記請求項１又は２に記載のデッキプレート用スペーサーにおいて、前記デッキプレート用スペーサー本体１０は、中央垂直板部１１と、その両側端より曲折して互いに反対側へ張出した両垂直側板部１２，１３とからなる平面視略Ｚ字形をなし、これら中央垂直板部１１及び両垂直側板部１２，１３の各々に、少なくとも一つの金網支承部１４Ａ〜１４Ｄが設けられてなることを特徴としている。
【００１４】
そして、請求項４の発明は、上記請求項３に記載のデッキプレート用スペーサーにおいて、前記両垂直側板部１２，１３の下部には、夫々当該両垂直側板部１２，１３とは反対側へ張出した倒れ止め突片１２ａ，１３ａが設けられてなることを特徴としている。
【発明の効果】
【００１５】
次に、本発明の効果について、図面の参照符号を付して説明する。まず、請求項１の発明にかかるデッキプレート用スペーサーでは、金網支承部１４Ａ〜１４Ｄは、溶接金網２の異なる支承高さに対応しているから、コンクリートスラブの設定厚さが異なる場合にも共用できる。さらに、金網支承部１４Ａ〜１４Ｄには、溶接金網２の上位筋２ａ又は下位筋２ｂを支承できる嵌合部１４ａ１〜１４ｄ１が設けられているから、溶接金網の上位筋又は下位筋いずれの支承にも利用できる。また、溶接金網２の上位筋２ａ又は下位筋２ｂを金網支承部１４Ａ〜１４Ｄで支承する際、その金網支承部１４Ａ〜１４Ｄの嵌合部１４ａ１〜１４ｄ１の上方を開放させて、その上方から上記上位筋２ａ又は下位筋２ｂを嵌合部１４ａ１〜１４ｄ１に嵌め込んだ後、その開放された嵌合部１４ａ１〜１４ｄ１の上方を蓋部１４ａ２〜１４ｄ２によって閉鎖させるだけでよい。それゆえ、本発明によれば、操作が極めて簡単であるため、少ない労力で容易且つ短時間で作業を完了させることができる。
【００１６】
一方、嵌合部１４ａ１〜１４ｄ１に嵌めこまれた溶接金網２の上位筋２ａ又は下位筋２ｂは、嵌合部１４ａ１〜１４ｄ１の上方が蓋部１４ａ２〜１４ｄ２によって閉鎖されているから、コンクリートスラブ４の打設やその打設の前段階の溶接金網２同士の結束等に際してその上を作業者が歩いても、上記嵌合部１４ａ１〜１４ｄ１から抜出することがない。それゆえ、本発明によれば、確実に溶接金網の上位筋又は下位筋を支承することができる。そのため、従来の如き修復の手間を必要とせず、且つ溶接金網２の部分的な沈下や位置ずれによる施工品位の低下を確実に回避することができる。
【００１７】
また請求項２の発明によれば、各金網支承部１４Ａ〜１４Ｄに夫々設けられている蓋部１４ａ２〜１４ｄ２の少なくとも一つは、略半円球状に形成されているから、当該蓋部を工具や手で折り曲げる際、非常に折り曲げ易くなり作業の効率化が図れる。
【００１８】
さらに請求項３の発明によれば、デッキプレート用スペーサー本体１０は、中央垂直板部１１と、その両側端より曲折して互いに反対側へ張出した両垂直側板部１２，１３とからなる平面視略Ｚ字形をなし、これら中央垂直板部１１及び両垂直側板部１２，１３の各々に、少なくとも一つの金網支承部１４Ａ〜１４Ｄが設けられているから、中央垂直板部及び両垂直側板部の各々の金網支承部を利用してコンクリートスラブの少なくとも３種の設定厚さに対応できる。さらには、上記のような構成とすることで、立設状態で自己保持でき、また保管や運搬に際して複数枚を嵩張らない重合状態とすることができる。
【００１９】
そして請求項４の発明によれば、上記の平面視略Ｚ字形をなすデッキプレート用スペーサーとして、特に立設状態でいずれの方向から押されても倒れにくく、溶接金網の支承状態をより安定化させることができる。
【図面の簡単な説明】
【００２０】
【図１】本発明の一実施形態に係るデッキプレート用スペーサーの斜視図である。
【図２】同実施形態係るスペーサーの打抜き加工後の平面図である。
【図３】同実施形態係るスペーサーを複数枚重ね合わせた状態を示す側面図である。
【図４】本発明の一実施形態に係るデッキプレート用スペーサーの使用方法を示し、同スペーサーによって溶接金網を支承した状態を示す斜視図である。
【図５】本発明の一実施形態に係るデッキプレート用スペーサーの使用方法を示し、（ａ）は同スペーサーの金網支承部の嵌合部の上方を開放して溶接金網の上位筋を支承した状態、（ｂ）は同スペーサーの金網支承部の嵌合部の上方を閉鎖して溶接金網の上位筋を支承した状態、のそれぞれ縦断正面図である。
【図６】同溶接金網の下位筋の支承状態を示す縦断側面図である。
【図７】本発明の一実施形態に係るデッキプレート用スペーサーの使用方法を示し、（ａ）は同スペーサーの金網支承部の嵌合部の上方を開放して溶接金網の上位筋を支承した状態、（ｂ）は同スペーサーの金網支承部の嵌合部の上方を閉鎖して溶接金網の上位筋を支承した状態、のそれぞれ縦断正面図である。
【発明を実施するための形態】
【００２１】
以下、本発明に係るデッキプレート用スペーサーの一実施形態について、図１〜図３を参照して具体的に説明する。
【００２２】
本実施形態に係るデッキプレート用スペーサー１は、図１に示すように、平面視略Ｚ字形の一枚の金属板よりなるデッキプレート用スペーサー本体１０を有している。このデッキプレート用スペーサー本体１０は、幅広で最も上縁位置の高い中央垂直板部１１と、その一側端より直角に側方へ張出した幅狭で中間の上縁高さを有する紙面右側に位置する第１の垂直側板部１２と、上記垂直板部１１の他側端より直角に第１の垂直側板部１２に対して反対側へ張出した幅狭の紙面左側に位置する第２の垂直側板部１３とで構成されている。
【００２３】
上記中央垂直板部１１は、図１及び図２に示すように、上部側に一対の金網支承部１４Ａ，１４Ｂが設けられ、第１の垂直側板部１２及び第２の垂直側板部１３にも、上部側に金網支承部１４Ｃ，１４Ｄが夫々設けられている。この金網支承部１４Ａ〜１４Ｄには、上方が開放されるように切欠形成された嵌合部１４ａ１，１４ｂ１，１４ｃ１，１４ｄ１が設けられると共に、この開放された上方を自在に閉鎖可能な蓋部１４ａ２，１４ｂ２，１４ｃ２，１４ｄ２が設けられている。この嵌合部１４ａ１〜１４ｄ１は、略スリット状溝に形成され、そのスリット状溝の下部は円弧状に形成されると共に、上部は末広がり状に形成されている。そして蓋部１４ａ２〜１４ｄ２は、上記嵌合部１４ａ１〜１４ｄ１の上面を覆うように嵌合部１４ａ１〜１４ｄ１の上面から突設され、工具や手で前後方向に（図５及び図７の矢印参照）折り曲げできるように形成されている。さらに、蓋部１４ａ２〜１４ｄ２は、蓋部１４ａ２が棒状に形成され、蓋部１４ｂ２〜１４ｄ２が略半円球状に形成されている。このように、蓋部を略半円球状に形成すれば、当該蓋部を工具や手で前後方向に折り曲げる際、非常に折り曲げ易くなり作業の効率化が図れる。なお、蓋部１４ａ２が棒状に形成されているのは、嵌合部１４ａ１が他の嵌合部１４ｂ１〜１４ｄ１に比べて深さが浅くなっているため、蓋部１４ａ２を略半円球状に形成すると、後述する溶接金網２（図４〜図７参照）を支承したまま上記嵌合部１４ａ１の上方を閉鎖できなくなるためである。
【００２４】
このように構成された金網支承部１４Ａ〜１４Ｄは、高位側から１４Ａ−１４Ｂ−１４Ｃ−１４Ｄの順に高さが異なるように設定されている。例えば、上記中央垂直板部１１の高さが５０ｍｍ、第１の垂直側板部の高さが３５ｍｍ、第２の垂直側板部の高さが２５ｍｍ程度である場合、金網支承部１４Ａ〜１４Ｄは、後述する溶接金網２のデッキプレート３（図４〜図７参照）からの浮上高さ（上位筋の頂部２ａ又は下位筋２ｂの頂部）が、金網支承部１４Ａでは５０ｍｍ、金網支承部１４Ｂでは４０ｍｍ、金網支承部１４Ｃでは３０ｍｍ、金網支承部１４Ｄでは２０ｍｍとなるように設定される。
【００２５】
一方、中央垂直板部１１は、略中央部に円孔１１ａが穿設され、下部に半楕円球状の透孔１１ｂが穿設されている。これにより、中央垂直板部１１によって打設するコンクリートスラブが堰き止められてしまうということがないため、効率的にコンクリートスラブを打設することができる。
【００２６】
また、第１の垂直側板部１２は、下部に倒れ止め突片１２ａが切欠形成され、その倒れ止め突片１２ａが当該第１の垂直側板部１２に対して１３５°の角度で張出し形成されている。そして、第２の垂直側板部１３も下部に倒れ止め突片１３ａが切欠形成され、その倒れ止め突片１３ａが当該第２の垂直側板部１３に対して１３５°の角度で張出し形成されている。このように、倒れ止め突片を設けることで、平面視略Ｚ字形をなすデッキプレート用スペーサーは、特に立設状態でいずれの方向から押されても倒れにくく、後述する溶接金網２（図４〜図７参照）の支承状態をより安定化させることができる。
【００２７】
ところで、上記のように構成されるデッキプレート用スペーサー１を製作するには、鋼板の如き金属板をプレス加工によって図３に示す形状に打抜き、中央垂直板部１１に設けた円孔１１ａに金型の凸軸部を嵌入させて位置決めを行った上で、同図の破線で示す左右両側の折曲線において一方を谷折り、他方を山折りで各々直角に曲げ加工し、両垂直側板部１２，１３を形成する。そして、その折り曲げ加工に伴って、両垂直側板部１２，１３から引き起こされた倒れ止め突片１２ａ，１３ａを更に既述の角度まで折曲する。これにより、デッキプレート用スペーサー１を製作することができる。それゆえ、本実施形態に係るデッキプレート用スペーサー１は、打抜き及び曲げ加工により製作することができるため、安価に且つ容易に量産することができる。また、このように平面視略Ｚ字形をなすように製作されたデッキプレート用スペーサー１は、保管や運搬に際し、複数枚を図３の仮想線で示すように重ね合わせて嵩張らない形にすることができる。なお、その際、蓋部１４ａ２〜１４ｄ２は、重ね合わせの邪魔にならないように、嵌合部１４ａ１〜１４ｄ１の上方を閉鎖した状態で重ね合わせることが好ましい。また、倒れ止め突片１２ａ同士、倒れ止め突片１３ａ同士がうまく重なるように、図２に示す形状にプレス加工によって打抜き形成させる際、両垂直側板部１２，１３の下部と倒れ止め突片１２ａ，１３ａの周縁が当接しないように僅かな空隙１２ｂ，１３ｂを形成するようにプレス加工した方が好ましい。
【００２８】
次に、図４〜図７を参照して、デッキプレート用スペーサー１の使用例を具体的に説明する。図４に示すように、デッキプレート用スペーサー１は、適当間隔を置いてデッキプレート３上に載置され、溶接金網２をデッキプレート３から浮かせた状態で保持している。より具体的には、溶接金網２は、縦横一方向に平行配置する上位筋２ａと他方向に平行配置する下位筋２ｂとが各交点で溶接された鋼製の格子状網からなり、デッキプレート３は凸条部３ａと凹陥部３ｂとが交互に配置した波板上の鋼板からなる。そして、このように構成されるデッキプレート３の凸条部３ａ上にデッキプレート用スペーサー１が載置され、そのデッキプレート３上に打設するコンクリートスラブの設定厚さに応じて金網支承部１４Ａ〜１４Ｄのいずれかを利用し、上記のように構成される溶接金網２の上位筋２ａ又は下位筋２ｂを支承し、もって当該溶接金網２をデッキプレート３から所要高さの位置に保持するというものである。
【００２９】
例えば、コンクリートスラブの設定厚さを８０ｍｍ、溶接金網２のコンクリートスラブ表面からの埋入深さ（上位筋２ａの頂部位置）を３０ｍｍとすれば、その溶接金網２の位置（上位筋２ａの頂部位置）はデッキプレート３の凸条部３ａの表面から５０ｍｍの高さになるから、本実施形態に係るデッキプレート用スペーサー１の上記例示した寸法設定によれば、金網支承部１４Ａを利用することとなる。すなわち、図５に示すように、中央垂直板部１１がデッキプレート３の凸条部３ａの幅方向に沿う向きとして、金網支承部１４Ａの嵌合部１４ａ１に溶接金網２の上位筋２ａを嵌め込んで支承させる。より具体的には、図５（ａ）に示すように、仮想線で示す金網支承部１４Ａの蓋部１４ａ２を工具や手を用いて、矢印Ｐ１方向に折り曲げ、金網支承部１４Ａの嵌合部１４ａ１に溶接金網２の上位筋２ａを嵌め込んで支承させた後、図５（ｂ）に示すように、図５（ａ）に示す矢印Ｐ１とは逆方向に蓋部１４ａ２を工具や手を用いて折り曲げ、嵌合部１４ａ１の上方を閉鎖させる。これにより、溶接金網２の上位筋２ａを金網支承部１４Ａにて確実に支承することができる。
【００３０】
一方、溶接金網２のコンクリートスラブ表面からの埋入深さ（下位筋２ｂの頂部位置）を３０ｍｍとすれば、その溶接金網２の位置（下位筋２ｂの頂部位置）はデッキプレート３の凸条部３ａの表面から５０ｍｍの高さになるから、図６に示すように、中央垂直板部１１がデッキプレート３の凸条部３ａの長手方向に沿う向きとして、金網支承部１４Ａの嵌合部１４ａ１に上記下位筋２ｂを嵌め込んで支承させることとなる。なお、図５及び図６において、ｔは仮想線で示すコンクリートスラブ４表面からの溶接金網２の埋入深さ、ｈはデッキプレート３の凸条部３ａの表面からの溶接金網２の浮上高さである。それゆえ、（ｔ＋ｈ）がコンクリートスラブ４の設定厚さとなる。
【００３１】
他方、コンクリートスラブの設定厚さを７０ｍｍ、溶接金網２のコンクリートスラブ表面からの埋入深さ（上位筋２ａの頂部位置）を３０ｍｍとすれば、その溶接金網２の位置（上位筋２ａの頂部位置）はデッキプレート３の凸条部３ａの表面から４０ｍｍの高さになるから、本実施形態に係るデッキプレート用スペーサー１の上記例示した寸法設定によれば、金網支承部１４Ｂを利用することとなる。すなわち、図７に示すように、中央垂直板部１１がデッキプレート３の凸条部３ａの幅方向に沿う向きとして、金網支承部１４Ｂの嵌合部１４ｂ１に溶接金網２の上位筋２ａを嵌め込んで支承させる。より具体的には、図７（ａ）に示すように、仮想線で示す金網支承部１４Ｂの蓋部１４ｂ２を工具や手を用いて、矢印Ｐ２方向に折り曲げ、金網支承部１４Ｂの嵌合部１４ｂ１に溶接金網２の上位筋２ａを嵌め込んで支承させた後、図７（ｂ）に示すように、図７（ａ）に示す矢印Ｐ２とは逆方向に蓋部１４ｂ２を工具や手を用いて折り曲げ、嵌合部１４ｂ１の上方を閉鎖させる。これにより、溶接金網２の上位筋２ａを金網支承部１４Ｂにて確実に支承することができる。なお、図７において、ｔ，ｈは、図５及び図６と同一のものを示す符号であるため、同一の符号を付している。
【００３２】
しかして、本実施形態に係るデッキプレート用スペーサー１の中央垂直板部１１及び両垂直側板部１２，１３の各々の金網支承部１４Ａ〜１４Ｄは、そのいずれかに嵌合した溶接金網２の上位筋２ａ又は下位筋２ｂが他の金網支承部１４Ａ〜１４Ｄに干渉しない形になるから、溶接金網２のコンクリートスラブ４表面からの埋入深さ（上位筋２ａ又は下位筋２ｂの頂部位置）を既述の３０ｍｍとすれば、コンクリートスラブ４の４種の設定厚さ（ｈ＋ｔ）、すなわち、８０ｍｍ，７０ｍｍ，６０ｍｍ，５０ｍｍのいずれの設定厚にも共用することができる。
【００３３】
以上説明した本実施形態によれば、金網支承部１４Ａ〜１４Ｄは、溶接金網２の異なる支承高さに対応しているから、コンクリートスラブ４の設定厚さが異なる場合にも共用できる。さらに、金網支承部１４Ａ〜１４Ｄには、溶接金網２の上位筋２ａ又は下位筋２ｂを支承できる嵌合部１４ａ１〜１４ｄ１が設けられているから、溶接金網２の上位筋２ａ又は下位筋２ｂいずれの支承にも利用できる。また、溶接金網２の上位筋２ａ又は下位筋２ｂを金網支承部１４Ａ〜１４Ｄで支承する際、その金網支承部１４Ａ〜１４Ｄの嵌合部１４ａ１〜１４ｄ１の上方を開放させて、その上方から上記上位筋２ａ又は下位筋２ｂを嵌合部１４ａ１〜１４ｄ１に嵌め込んだ後、その開放された嵌合部１４ａ１〜１４ｄ１の上方を蓋部１４ａ２〜１４ｄ２によって閉鎖させるだけでよい。それゆえ、本実施形態によれば、操作が極めて簡単であるため、少ない労力で容易且つ短時間で作業を完了させることができる。
【００３４】
一方、嵌合部１４ａ１〜１４ｄ１に嵌めこまれた溶接金網２の上位筋２ａ又は下位筋２ｂは、嵌合部１４ａ１〜１４ｄ１の上方が蓋部１４ａ２〜１４ｄ２によって閉鎖されているから、コンクリートスラブ４の打設やその打設の前段階の溶接金網２同士の結束等に際してその上を作業者が歩いても、上記上位筋２ａ又は下位筋２ｂが嵌めこまれた嵌合部１４ａ１〜１４ｄ１から抜出することがない。それゆえ、本実施形態によれば、確実に溶接金網２の上位筋２ａ又は下位筋２ｂを支承することができる。そのため、従来の如き修復の手間を必要とせず、且つ溶接金網２の部分的な沈下や位置ずれによる施工品位の低下を確実に回避することができる。
【００３５】
他方、小規模建物の床等では、コンクリートスラブ４の設定厚さを５０ｍｍとすることが多いが、この場合、上記実施形態で例示した如く高さ５０ｍｍのスペーサーを用いれば、コンクリートスラブ４をそのスペーサーの頂部に達するまで打設すればよいこととなり、当該スペーサーが打設厚さの目安になるという利点がある。
【００３６】
なお、本実施形態では、デッキプレート用スペーサーを最大設定厚さが８０ｍｍのコンクリートスラブ４に適用する場合について説明したが、そのスペーサーの高さ（最高位の金網支承部の位置）は種々設定可能である。
【００３７】
また、本実施形態に係るデッキプレート用スペーサーは、全体形状、大きさ、材質、金網支承部１４Ａ〜１４Ｄの各々の設定位置と設定数、その金網支承部１４Ａ〜１４Ｄの嵌合部１４ａ１〜１４ｄ１及び蓋部１４ａ２〜１４ｄ２の構造、形状、適用する溶接金網２の筋径等の細部構成については、上記例示した実施形態以外に種々設計変更可能である。
【符号の説明】
【００３８】
１                    デッキプレート用スペーサー
２                    溶接金網
２ａ                  上位筋
２ｂ                  下位筋
３                    デッキプレート
３ａ                  凸条部
３ｂ                  凹陥部
４                    コンクリートスラブ
１０                  デッキプレート用スペーサー本体
１１                  中央垂直板部
１２                  第１の垂直側板部
１２ａ              （第１の垂直側板部の）倒れ止め突片
１３                  第２の垂直側板部
１３ａ              （第２の垂直側板部の）倒れ止め突片
１４Ａ〜１４Ｄ        金網支承部
１４ａ１〜１４ｄ１    嵌合部
１４ａ２〜１４ｄ２    蓋部
【図１】
2012097417.tif 000003
【図２】
2012097417.tif 000004
【図３】
2012097417.tif 000005
【図４】
2012097417.tif 000006
【図５】
2012097417.tif 000007
【図６】
2012097417.tif 000008
【図７】
2012097417.tif 000009